(57)【要約】【課題】先行配線された光ケーブルと光コネクタとの結合部位に加えられる外力を低減した光コンセントを提供する。【解決手段】光コンセント２は、造営材に埋込配設されるコンセント本体１０と、コンセント本体１０内に収納され、造営材の表面側から光ケーブルのプラグが差込接続されるプラグ接続口１５ａおよび造営材の裏面側に先行配線された他の光ケーブルのプラグが差込接続されるプラグ接続口１５ｂを具備した光接続具１１と、プラグ接続口１５ｂに接続される光ケーブルの余長分が許容最小曲率半径よりも大きい曲率半径で巻き付けられる巻胴部（側壁部２４およびガイド壁２５の一部）および側壁部２４の表面との間で光ケーブルを挟持するケーブル保持片２６を有する巻取部材１３とを備え、巻取部材１３に、プラグ接続口１５ｂに接続されたプラグと巻胴部との間で光ケーブルの外被を挟持するケーブル押さえ片２５ａ，２５ａを設けてある。【選択図】図１
2008107572.tif 000002
【特許請求の範囲】
【請求項１】
造営材に設けた埋込孔に埋込配設されるコンセント本体と、コンセント本体の内部に収納され、造営材の表面側に開口して造営材の表面側から光ケーブルの端部に設けたプラグが差込接続される第１のプラグ接続口および造営材の裏面側に先行配線された他の光ケーブルの端部に設けたプラグが差込接続される第２のプラグ接続口を有し、両プラグ接続口に差込接続されたプラグの間を光学的に接続させる光接続具と、光接続具に対して背面側に配置され、第２のプラグ接続口に接続される光ケーブルの余長分が許容最小曲率半径よりも大きい曲率半径で巻き付けられる巻胴部および当該巻胴部に巻き付けられた光ケーブルの外被を巻胴部の巻付面との間で挟持するケーブル保持部を有する巻取部材とを備え、巻取部材に、第２のプラグ接続口に接続されたプラグと巻胴部との間で光ケーブルの外被を挟持するケーブル押さえ部を設けたことを特徴とする光コンセント。
【請求項２】
前記ケーブル押さえ部が、前記巻取部材において前記巻胴部の巻付面よりも内側に設けられ、ケーブル押さえ部から巻付面にかけて断面円弧状の曲面からなるガイド部をケーブル押さえ部に対して両側に設けたことを特徴とする請求項１記載の光コンセント。
【請求項３】
前記巻取部材に、光ケーブルが巻き付けられる位置に沿って光ケーブルの巻付位置を表示する表示手段を設けたことを特徴とする請求項１又は２記載の光コンセント。
【請求項４】
前記巻取部材には光ケーブルが複数回巻き付けられており、光ケーブルにおいてケーブル保持部に保持された部位よりも後側の巻付部位を仮保持する仮保持手段を巻取部材に設けたことを特徴とする請求項１乃至３の何れか１項に記載の光コンセント。
【発明の詳細な説明】
【技術分野】
【０００１】
本発明は、光ケーブルを接続するための光コンセントに関するものである。
【背景技術】
【０００２】
従来、壁面のような造営材に埋込配設されて、造営材の裏面側に先行配線された光ケーブルのプラグが予め接続されるとともに、造営材の表面側から通信機器側の光ケーブルのプラグが差込接続される光コンセントが提供されている（例えば特許文献１参照）。
【０００３】
このような光コンセントは、例えば造営材に埋設された埋込ボックス内に配設されるのであるが、造営材の裏面側に先行配線された光ケーブルを埋込ボックス内に導入して、光ケーブルの端部に設けたプラグを光コンセントに接続した後に、光ケーブルの余長分を埋込ボックス内の空きスペースに収納するにあたり、光ケーブルの許容最小曲率半径よりも小さい曲率半径で光ケーブルを曲げると、光の伝送損失が悪化する虞がある。そこで、図８及び図９に示すように、光ケーブルの余長分を許容最小曲率半径よりも大きい曲率半径で巻取部材に巻き付けることによって、伝送損失の悪化を招くことなく、余長処理を行えるようにした光コンセントが提供されている。
【０００４】
この光コンセントは、ＪＩＳ等で規格化された大角形連用配線器具用の取付枠に対して取付可能な形状および寸法に形成され、前面の略全体が開口するとともに、上側面から後面にかけて一部が開口した略箱形のボディ６１と、ボディ６１の前面に設けた開口内に開閉自在に枢支されるカバー６２と、カバー６２の背面側に取着されるＳＭＩ型の光コネクタ６３（光接続具）と、光コネクタ６３に対して背面側に位置するようにボディ６１の背面に取着される巻取部材６４とを備えている。
【０００５】
巻取部材６４は、略円筒状の巻胴部６５を背面側に備えるとともに、巻胴部６５の上側部から前方に向かって下向きに湾曲した断面円弧状のガイド部６６を備えており、ガイド部６６は前面側ほど幅狭となるように左右の両側縁が円弧状に形成されている（図８（ｄ）参照）。そして、ガイド部６６の左右両側縁からは上方に向かってガイド壁６７，６７がそれぞれ突出形成されており、両ガイド壁６７，６７は背面側に行くほど両者の間隔が幅広となるよう円弧状に湾曲している。また、両ガイド壁６７，６７は、左右方向において巻胴部６５よりも外側まで延出しており、ガイド壁６７の下側端には巻胴部６５の周面との間に間隔を開けて弾性保持片６８が突設されている。
【０００６】
ここにおいて、造営材の裏面側に先行配線された光ケーブルのプラグを光コンセントに接続する場合、この光ケーブルの端部に設けたプラグを光コネクタ６３に接続した後、光コネクタ６３に接続されたプラグから延出する光ケーブルを両ガイド壁６７，６７の間の隙間に通して巻胴部６５側に導入した後、光ケーブルの余長分を巻胴部６５に巻き付けることで余長処理を行っており、光ケーブルが許容最小曲率半径よりも小さい曲率半径で巻回されることがないから、伝送損失を悪化させることなく、光ケーブルをコンパクトに収納することができる。
【特許文献１】特開２００５−２３４３８３号公報
【発明の開示】
【発明が解決しようとする課題】
【０００７】
上述した図８及び図９に示す光コンセントでは、造営材の裏側に先行配線された光ケーブルを光コンセントに接続する際に、光コネクタ６３に接続された光ケーブルを上側に引き出すとともに、ガイド部６６に沿うように後ろ向きに曲げて、ガイド壁６７，６７の間の隙間に挿通した後、光ケーブルを左右何れかの方向に捩ってその先端側を巻胴部６５の円周方向に突出させて、巻胴部６５に巻き付けているため、光ケーブルを捩った状態で巻き付けていた。そして、この光ケーブルは巻胴部６５に巻き始める始点部が支持されていないため、光ケーブルの根本（すなわち光コネクタ６３に接続されたプラグとケーブル部分との連結部位）に光ケーブルを捩る力や外力などが加えられる可能性があり、伝送損失の悪化を招く虞があった。
【０００８】
本発明は上記問題点に鑑みて為されたものであり、その目的とするところは、光接続具に接続されたプラグとケーブル部分との連結部位に加わるストレスを低減した光コンセントを提供することにある。
【課題を解決するための手段】
【０００９】
上記目的を達成するために、請求項１の発明は、造営材に設けた埋込孔に埋込配設されるコンセント本体と、コンセント本体の内部に収納され、造営材の表面側に開口して造営材の表面側から光ケーブルの端部に設けたプラグが差込接続される第１のプラグ接続口および造営材の裏面側に先行配線された他の光ケーブルの端部に設けたプラグが差込接続される第２のプラグ接続口を有し、両プラグ接続口に差込接続されたプラグの間を光学的に接続させる光接続具と、光接続具に対して背面側に配置され、第２のプラグ接続口に接続される光ケーブルの余長分が許容最小曲率半径よりも大きい曲率半径で巻き付けられる巻胴部および当該巻胴部に巻き付けられた光ケーブルの外被を巻胴部の巻付面との間で挟持するケーブル保持部を有する巻取部材とを備え、巻取部材に、第２のプラグ接続口に接続されたプラグと巻胴部との間で光ケーブルの外被を挟持するケーブル押さえ部を設けたことを特徴とする。
【００１０】
請求項２の発明は、請求項１の発明において、ケーブル押さえ部が、巻取部材において巻胴部の巻付面よりも内側に設けられ、ケーブル押さえ部から巻付面にかけて断面円弧状の曲面からなるガイド部をケーブル押さえ部に対して両側に設けたことを特徴とする。
【００１１】
請求項３の発明は、請求項１又は２の発明において、巻取部材に、光ケーブルが巻き付けられる位置に沿って光ケーブルの巻付位置を表示する表示手段を設けたことを特徴とする。
【００１２】
請求項４の発明は、請求項１乃至３の何れか１つの発明において、巻取部材には光ケーブルが複数回巻き付けられており、光ケーブルにおいてケーブル保持部に保持された部位よりも後側の巻付部位を仮保持する仮保持手段を巻取部材に設けたことを特徴とする。
【発明の効果】
【００１３】
請求項１の発明によれば、光接続具の第２のプラグ接続口に接続されたプラグと、巻取部材の巻胴部との間で光ケーブルの外被を挟持するケーブル押さえ部を設けているので、光ケーブルの根本（すなわちプラグとの連結部位）をケーブル押さえ部で固定することによって、光ケーブルとプラグとの連結部位に外力が加わって、光ケーブルにストレスが加わるのを防止でき、ストレスが加えられることで発生する光伝送損失の悪化を抑制できるという効果がある。
【００１４】
請求項２の発明によれば、ケーブル押さえ部は、巻取部材において巻胴部の巻付面よりも内側に設けられ、ケーブル押さえ部から巻付面にかけて断面円弧状の曲面からなるガイド壁がケーブル押さえ部に対して両側に設けられているので、ケーブル押さえ部から後方に延出した光ケーブルを巻胴部に対して何れの方向に巻き付ける場合でも、ガイド壁の表面に沿って曲げて巻付面まで案内することができ、この時に光ケーブルを捩るような力が光ケーブルに加わらないため、光ケーブルに無理な力が加わって、光の伝送損失が悪化するのを防止できる。
【００１５】
請求項３の発明によれば、表示手段の表示にしたがって光ケーブルを巻き付けることで、光ケーブルの巻付作業を容易に行うことができ、また巻付方向を間違えるのを防止することもできる。
【００１６】
請求項４の発明によれば、巻取部材に２周目以降に巻回された光ケーブルの部位を仮保持手段で仮保持しているので、光ケーブルが拡径するのを防止でき、光コンセントを造営材に埋込配設する際に、光ケーブルの余長部分がばらけて、収納作業の邪魔になるのを防止でき、施工作業を容易に行えるという効果がある。
【発明を実施するための最良の形態】
【００１７】
以下に、本発明に係る光コンセントの一実施形態を図１〜図７に基づいて説明する。本実施形態では、本発明に係る光コンセントとモジュラコンセントを備えた配線装置を例に説明を行うものとする。尚、以下の説明では特に断りがないかぎり、図３（ａ）に示す向きにおいて上下左右の方向を規定し、図３（ａ）における紙面手前側を前方とする。したがって、図３（ｂ）における左端は後端となる。
【００１８】
この配線装置１は、図１及び図２に示すように、長方形状の開口窓４ａを中央部に有する矩形枠状の取付枠４と、取付枠４の開口窓４ａから前面を露出させた状態で取付枠４に取り付けられる光コンセント２およびモジュラコンセント３を備えている。尚、以下の説明では、取付枠４の開口窓４ａの長手方向（図１における上下方向）の１／３を占める寸法（言い換えれば、開口窓４ａの長手方向に３個並べて取付枠４に取付可能な寸法）を１個モジュール寸法と規定する。
【００１９】
まず、光コンセント２やモジュラコンセント３などの配線器具を壁材などの造営材に取り付けるために用いられる取付枠４について説明する。取付枠４は、例えばＪＩＳ規格で規格化されている大角形連用配線器具の１連用のものであって、例えば絶縁性の合成樹脂を用いて、中央部に配線器具の前面を露出させる開口窓４ａを有する矩形枠状に形成されている。この取付枠４は、図１〜図３に示すように、互いに並行する長尺の枠片４０，４０と、一対の枠片４０，４０の一端部同士及び他端部同士をそれぞれ連結する横片４１，４１とを一体に備え、これら枠片４０，４０及び横片４１，４１で囲まれた中央部が開口窓４ａとなっている。各枠片４０，４０には、配線器具の取り付けに用いられる２個で１組の取付孔４２が３組ずつ形成されている。また各横片４１，４１の中央部には、取付枠４を造営材に埋設された埋込ボックス（図示せず）に取り付けるためのボックスねじ（図示せず）が挿通されるボックス用孔４１ａと、取付枠４の前面側にプレート（図示せず）を取り付けるためのプレートねじ（図示せず）が螺着されるプレートねじ孔４１ｂとが形成されている。尚、このような取付枠４は、勿論、他の規格によるものであってもよい。また、取付枠４は矩形枠状のものに限らず、例えば長方形状の開口窓４ａを有する円盤状のものであってもよく、配線器具を取り付けるための開口窓４ａを有していればよい。
【００２０】
次に、取付枠４に取り付けられる光コンセント２およびモジュラコンセント３について説明する。
【００２１】
モジュラコンセント３は、電話回線用のモジュラケーブル（図示せず）を接続するための埋込型配線器具であって、図１〜図３に示すように、１個モジュール寸法に形成され、対応するケーブルであるモジュラケーブル用の差込口３１を前面側に有する器体３０と、差込口３１から器体３０の外部に臨み、差込口３１から差し込まれたモジュラプラグが着脱自在に接続されるモジュラジャック（図示せず）とを備えている。
【００２２】
一方、光コンセント２は、図１及び図２に示すように、２個モジュール寸法に形成されたコンセント本体１０と、コンセント本体１０の内部に収納される光接続具１１（アダプタ）と、コンセント本体１０の裏面との間で光接続具１１を保持する裏カバー１２と、裏カバー１２に取着されて光ケーブルの余長分を巻取保持する巻取部材１３と、光接続具１１が備える２個のプラグ接続口１５ａ，１５ｂのうち造営材の裏側に先行配線された光ケーブル５が接続されるプラグ接続口１５ｂに着脱自在に取着されて、保管時や運搬時などにプラグ接続口１５ｂを閉塞する防塵カバー１４とを主要な構成として備えている。尚、光ケーブル５は、図５に示すように接続用のフェルール５１を有するプラグ５０を端部に
備えるとともに、プラグ５０とケーブル部５３とを固定して、ケーブル部５３とプラグ５０との接続部分にかかる応力を緩和するための角筒状の把持部５２を備えている。尚、本実施形態では、光コンセント２として１心タイプのものを例に説明を行うが、２本の光ケーブルが接続可能な２心タイプのものでも良い。
【００２３】
まず、光接続具１１について簡単に説明する。光接続具１１は、例えばＪＩＳで規定されたＦ０４形（ＳＣ形とも呼ばれる）のアダプタであって、両端が開口した角筒状のハウジング１５と、両端にプラグ５０のフェルール５１が着脱自在に嵌入されるスリーブ１６とを備え、スリーブ１６はその両端をハウジング１５の両側開口に臨ませるようにしてハウジング１５内部に収納されている。これにより、光接続具１１は、第１および第２のプラグ接続口１５ａ，１５ｂを両端側に有するように構成され、第１のプラグ接続口（以下、プラグ接続口と略称す。）１５ａを斜め下方に向けてコンセント本体１０の差込口１８ｂに臨ませるとともに、第２のプラグ接続口（以下、プラグ接続口と略称す。）１５ｂを斜め上方に向けた状態でコンセント本体１０内部に収納される。そして、コンセント本体１０の背面側に開口するプラグ接続口１５ｂに造営材の裏面側に先行配線された光ケーブル５のプラグ５０が接続されることでレセプタクルを構成している。また、光接続具１１のハウジング１５の左右両側面には上下方向の中間部から外側に向かって突出するフランジ部１５ｃが一体に形成されており、フランジ部１５ｃよりも上側の部位は下側の部位に比べて幅狭となっている。
【００２４】
また、光接続具１１の一方のプラグ接続口１５ａには、造営材の表面側から光ケーブルの端部に設けたプラグが接続されていないときに、プラグ接続口１５ａを閉塞して、第２のプラグ接続口１５ｂに接続された光ケーブルの光がプラグ接続口１５ａを通して外部に漏洩するのを防止するための一対の開閉扉１７が設けられている（図３（ａ）（ｃ）参照）。なお、一対の開閉扉１７は、プラグ接続口１５ａへのプラグの差込方向に揺動可能に取り付けられており、板ばね（図示せず）などを用いて上記差込方向と反対方向に付勢されている。
【００２５】
したがって、光接続具１１に造営材の表面側からプラグを接続する際には、光ケーブルのプラグで一対の開閉扉１７，１７を板ばねの付勢力に抗して押圧することで、開閉扉１７，１７を押し開き、さらにプラグを光接続具１１内に差し込むことで、プラグのフェルールがスリーブ１６に嵌合され、これにより光ケーブルのプラグが光接続具１１に接続されることになる。一方、光ケーブルを光接続具１１から引き抜いた際には、一対の開閉扉１７，１７が板ばねの付勢力によって移動し、プラグ接続口１５ａを閉塞することになる。
【００２６】
コンセント本体１０は、図１〜図３に示すように、合成樹脂を用いて２個モジュール寸法に形成されており、後面が開口した箱状であって、その前面の中央部には、コンセント本体１０を取付枠４に取り付けた際に、取付枠４の開口窓４ａから前方へ突出する膨出部１８が一体に形成されている。この膨出部１８の下部には、図３（ｂ）（ｃ）に示すように、面方向が斜め下方向となる下向き傾斜面１８ａが形成されており、この下向き傾斜面１８ａの中央部には、光接続具１１のプラグ接続口１５ａに連通する差込口１８ｂが貫設されている。また膨出部１８の裏面側には、図２及び図５に示すように、ハウジング１５の前面側と当接して、光接続具１１を位置決めする複数の位置決め用リブ１９が一体に突設されている。
【００２７】
また、図１に示すように、コンセント本体１０の左右両側面には、取付枠４の一対の取付孔４２とそれぞれ凹凸嵌合する２個で１組の取付爪１０ａが２組ずつ形成されている。加えて、図１に示すように、コンセント本体１０の上側面には、光ケーブル５の把持部５２が挿入される切欠部１０ｂが形成されており、コンセント本体１０の内面における切欠部１０ｂの近傍には、光ケーブル５の把持部５２が嵌入されて、把持部５２を固定する固定用リブ１０ｃが突設されている。さらに、コンセント本体１０の下側部における左右内側面には、係止孔１０ｄを有する係止用リブ１０ｅがそれぞれ形成されている。
【００２８】
ここで、コンセント本体１０に光接続具１１を収納する際には、光接続具１１をコンセント本体１０に固定するために、裏カバー１２が用いられる。裏カバー１２は、図１及び図２に示すように合成樹脂成型品からなり、左右方向を長手方向とする平板部２０と、平板部２０の前面側に突設され、コンセント本体１０の位置決め用リブ１９との間で光接続具１１のハウジング１５を挟持する当接部２１と、平板部２０の背面から後方に突出して巻取部材１３を支持する角筒状の支持台部２２とを一体に備え、平板部２０の後面側における左右方向両側部には、コンセント本体１０の係止孔１０ｄに嵌合される係止部２０ａが一体に形成されている。また当接部２１には、ハウジング１５のフランジ部１５ｃと係合する段部２１ａが形成されている。さらに、平板部２０の前面側の左右方向両端側には、光接続具１１のフランジ部１５ｃと当接することによって、コンセント本体１０内における差込口１８ｂの周縁部との間で光接続具１１を狭持し、光接続具１１の長手方向の移動を防止する一対の移動防止用リブ２０ｂ，２０ｂがそれぞれ一体に突設されている。また、この移動防止用リブ２０ｂ，２０ｂは、左右方向において光接続具１１と当接するように構成されており、これによって光接続具１１が左右方向に移動してしまうことを規制している。また支持台部２２の左右両側片の後部には、後端側に開放された切欠を形成することによって左右方向に撓み自在となる弾性係止片２２ａを設けてあり、各弾性係止片２２ａの先端部には外側に突出する係止爪２２ｂを突設してある。
【００２９】
巻取部材１３は、図１及び図２に示すように合成樹脂成型品からなり、平面視の形状が上下方向に長い略矩形板状であって下側部の左右の角部を円弧状に丸めた基板部２３と、基板部２３の外周縁から背面側に向かって突出する側壁部２４と、上側の側壁部２４の左右両側部にそれぞれ設けられて上側に突出する断面半円形のガイド壁２５，２５とを一体に備えている。左右のガイド壁２５，２５は基板部２３よりも前側に張り出す形で形成されており、両ガイド壁２５，２５の前側縁の内側部からは、ガイド壁２５と同じ曲率半径のケーブル押さえ片２５ａ，２５ａ（ケーブル押さえ部）が前方に向かって突出形成されている。すなわち、ケーブル押さえ片２５ａ，２５ａは、巻取部材１３において巻胴部（側壁部２４とガイド壁２５の一部からなる）の巻付面よりも内側に設けられ、ケーブル押さえ片２５ａ，２５ａから上記巻付面にかけて断面円弧状の曲面からなるガイド壁２５，２５をケーブル押さえ片２５ａ，２５ａに対して両側に設けてある。なお巻取部材１３において、光ケーブル５が巻き付けられる曲面部分（側壁部２４の曲面部分およびガイド壁２５）の曲率半径は、光ケーブル５の許容最小曲率半径よりも大きい曲率半径に設定されている。
【００３０】
また、基板部２３の左右両側縁には、左右の側壁部２４と並行に配置される各一対の短冊形のケーブル保持片２６が連結部２６ａを介して連結されている。また基板部２３の下側縁には、側壁部２４の下側部と隙間を空けて対向する短冊形のケーブル保持片２８が連結部２８ａを介して連結されており、ケーブル保持片２６，２８と側壁部２４との間の隙間は光ケーブル５のケーブル部５３が挿入可能な寸法に設定されている。また連結部２６ａの先端側からは短冊形の仮保持片２７（仮保持手段）が前方に向かって突設されている。また基板部２３の下側部には、上述した裏カバー１２の一対の弾性係止片２２ａがそれぞれ挿入される一対の係止孔２３ａを貫設してある。
【００３１】
光コンセント２は上記の部材により構成されており、これらは次のようにして組み立てられる。すなわち、図５に示すように、光接続具１１を、一方のプラグ接続口１５ａを斜め下方に向け、差込口１８ｂからコンセント本体１０外に臨ませた状態で、コンセント本体１０の内部に収納する。このとき、コンセント本体１０の内側面に設けた位置決め用リブ１９が、光接続具１１のハウジング１５の前面側に当接する。その後、裏カバー１２をコンセント本体１０の背面側からコンセント本体１０に近づけ、裏カバー１２の係止部２０ａをコンセント本体１０の係止孔１０ｄに嵌合させることで、裏カバー１２がコンセント本体１０に取り付けられる。このとき、光接続具１１のハウジング１５は、コンセント本体１０の位置決め用リブ１９と、裏カバー１２の当接部２１とによって挟まれているので、ハウジング１５が前後方向において位置決めされ、ハウジング１５がコンセント本体１０から脱落するのを防止している。また裏カバー１２の移動防止用リブ２０ｂ，２０ｂが光接続具１１のフランジ部１５ｃに当接することによって、コンセント本体１０の下向き傾斜面１８ａにおける差込口１８ｂの周縁部との間で光接続具１１が狭持されて、光接続具１１が長手方向において位置決めされ、さらに移動防止用リブ２０ｂ，２０ｂが、ハウジング１５の左右の側面と当接することによってハウジング１５が左右方向において位置決めされる。そのため、光接続具１１に光ケーブル５を接続する際に、光接続具１１がぐらついたりすることがなくなって、光ケーブル５の接続を容易に行うことができる。
【００３２】
また裏カバー１２の背面側には巻取部材１３を着脱自在に取り付けることができる。すなわち、裏カバー１２の背面側から、仮保持片２７を前側にして巻取部材１３を裏カバー１２に近づけ、裏カバー１２の支持台部２２に設けた弾性係止片２２ａ，２２ａを巻取部材１３の基板部２３に設けた係止孔２３ａ，２３ａ内にそれぞれ挿入させ、弾性係止片２２ａの先端部の係止爪２２ｂを係止孔２３ａの背面側の孔縁に係止させることで、巻取部材１３を裏カバー１２に取り付ける。この時、支持台部２２の下側面２２ｃおよび上側面がそれぞれ基板部２３の前面側に設けたリブ２３ｂ，２３ｂと係合するとともに、支持台部２２の上側面に設けた切欠溝２２ｄが基板部２３の前面に設けたリブ２３ｃと係合することで、巻取部材１３が裏カバー１２に対してがたつきなく取りつけられる。なお、巻取部材１３は裏カバー１２に対して着脱自在となっており、係止孔２３ａを通して背面側に突出する弾性係止片２２ａの先端部に外力を加えて、弾性係止片２２ａを互いに近づく向きに撓めることによって、弾性係止片２２ａの係止爪２２ｂと係止孔２３ａとの係止状態を解除して、巻取部材１３を裏カバー１２から取り外すことができるようになっている。
【００３３】
ところで、光コンセント２とモジュラコンセント３とを取付枠４に取着することで配線装置１が構成されており、光コンセント２およびモジュラコンセント３は取付枠４に対し以下のようにして取り付けられる。すなわちモジュラコンセント３は、図１および図３に示すように、器体３０の左右両側部に設けた各一対の取付爪３２を、取付枠４の最も上側に位置する各一対の取付孔４２にそれぞれ凹凸嵌合させることによって、前面のボス部３３を、取付枠４の開口窓４ａから前方へ突出させた状態（言い換えればボス部３３を開口窓４ａから前面に露出させた）で取付枠４に取り付けられる。そして、取付枠４の開口窓４ａにおける残りのスペースを用いて光コンセント２が、コンセント本体１０の左右両側部に２組ずつ設けた取付爪１０ａを、取付枠４の残りの４組の取付孔４２にそれぞれ凹凸嵌合させることで、膨出部１８を取付枠４の開口窓４ａから前方へ突出させた状態（言い換えれば膨出部１８を開口窓４ａから前方に露出させた状態）で取付枠４に取り付けられる。
【００３４】
このようにして図３〜図５に示す配線装置１が得られ、この配線装置１の造営材７０への埋込配設は、以下のようにして行われる。まず、例えば壁材のような造営材７０に適当な大きさの埋込用孔７１を形成した後、造営材７０の背面側に埋込用孔７１に臨ませて埋込ボックス（図示せず）を取り付ける。次に埋込ボックスに形成されたノックアウト孔を通して、造営材７０の裏面側に先行配線された電話線（図示せず）を埋込ボックス内に導入し、さらにこの電話線を埋込用孔７１から造営材７０の表面側に引き出した後、モジュラコンセント３の器体３０の背面に設けた電線挿通孔に挿入して、器体３０の内部に収納された速結端子（図示せず）に接続する。
【００３５】
また埋込ボックスに形成されたノックアウト孔を通して、造営材７０の裏面側に先行配線された光ケーブル５を埋込ボックス内に導入し、さらにこの光ケーブル５を埋込用孔７１から造営材７０の表面側に引き出して、光ケーブル５の端部に設けたプラグ５０を光接続具１１のプラグ接続口１５ｂに接続する。ここで、光ケーブル５のプラグ５０を光接続具１１に取り付ける際には巻取部材１３を予め外しておく必要がある。また光接続具１１のプラグ接続口１５ｂには、保管時や運搬時など施工前の時点でハウジング１５内部に塵埃が侵入するのを防止する防塵カバー１４が取り付けられており、この防塵カバー１４を取り外した後に、プラグ接続口１５ｂに光ケーブル５のプラグ５０を接続し、その後裏カバー１２の支持台部２２に巻取部材１３を固定する。このとき、プラグ接続口１５ｂに接続された光ケーブル５は、その把持部５２が図５に示すように、コンセント本体１０の切欠部１０ｂ及び固定用リブ１０ｃに嵌入され、さらに把持部５２の後方にガイド壁２５，２５が配置されており、これによって光ケーブル５の抜け止めが図られる。
【００３６】
ここで、光コンセント２及びモジュラコンセント３を取着した取付枠４を造営材７０に固定する前に、光ケーブル５の余長処理を行う。すなわち、プラグ５０から延出するケーブル部５３の根本（ケーブル部５３におけるプラグ５０との連結部位）をケーブル押さえ片２５ａ，２５ａの間の隙間２５ｂに導入し、ケーブル部５３の根本をケーブル押さえ片２５ａ，２５ａの間で挟持させることによって、ケーブル部５３を固定する。その後、ケーブル押さえ片２５ａ，２５ａの間の隙間２５ｂから後方に延出するケーブル部５３を何れかのガイド壁２５の周面に沿って側壁部２４まで導き、側壁部２４の周面に沿ってケーブル部５３を１回巻き付ける。この時、ケーブル部５３がケーブル保持片２６，２８と側壁部２４との間に挿入されて、ケーブル部５３の抜けが防止されるようになっている。その後、図７に示すように巻取部材１３の上部でケーブル部５３をクロスさせて、ケーブル部５３を仮保持片２７の内側に通して、ケーブル部５３の余長部分を巻取部材１３に複数回巻回することで、ケーブル部５３の余長処理を行う用になっている。
【００３７】
上述のように光ケーブル５の余長処理を行った後には、取付枠４のボックス用孔４１ａ，４１ａにそれぞれ挿通させたボックスねじを埋め込みボックスのねじ孔に螺着することによって、配線装置１が造営材７０に埋込配設されるのである。また、取付枠４の前面側には図示しないプレートが取着され、このプレートの窓孔から光コンセント２及びモジュラコンセント３の前面が露出するのである。
【００３８】
以上説明したように本実施形態の光コンセント２では、光接続具１１のプラグ接続口１５ｂに接続されたプラグと、巻取部材１３の側壁部２４との間で光ケーブル５の外被（ケーブル部５３）を挟持するケーブル押さえ片２５ａ，２５ａを設けており、ケーブル部５３の根本をケーブル押さえ片２５ａ，２５ａで固定しているので、ケーブル部５３とプラグ５０との連結部位に外力が加わって、光ケーブル５にストレスが加わるのを防止することができる。
【００３９】
またケーブル押さえ片２５ａ，２５ａは、巻取部材１３において巻胴部（側壁部２４とガイド壁２５の一部からなる）の巻付面よりも内側に設けられ、ケーブル押さえ片２５ａ，２５ａから巻付面にかけて断面円弧状の曲面からなるガイド壁２５，２５がケーブル押さえ片２５ａ，２５ａに対して何れの巻付方向にも設けられているので、ケーブル押さえ片２５ａ，２５ａから後方に延出したケーブル部５３をガイド壁２５の表面に沿って曲げ、側壁部２４まで案内することができ、ケーブル部５３の余長部分を側壁部２４に巻き付ける際にケーブル部５３を捩るような力がケーブル部５３に加わらないため、ケーブル部５３に無理な力が加わって、光の伝送損失が悪化するのを防止できる。ここで、ガイド壁２５の表面には、図７に示すようにケーブル部５３の巻付位置を示す位置表示ライン２５ｃ（表示手段）が、金型刻印や印刷などの適宜の方法で形成されているので、この位置表示ライン２５ｃに沿ってケーブル部５３を巻き付けることで、ケーブル部５３の巻付作業を容易に行うことができる。
【００４０】
また巻取部材１３に巻き付けられたケーブル部５３のうち、側壁部５４に巻き付けられた部位はケーブル保持片２６，２８と側壁部５４との間に保持されるのでケーブル部５３が巻胴部から外れるのを防止できる。また巻取部材１３に２周目以降に巻回されたケーブル部５３の部位は、仮保持片２７，２７の内側に通されることによって、ケーブル部５３が拡径するのを防止でき、光コンセント２を埋込ボックス内部に収納させる際に、ケーブル部５３の余長部分がばらけて、収納作業の邪魔になるのを防止でき、施工作業を容易に行えるという効果がある。
【００４１】
なお、本発明の精神と範囲に反することなしに、広範に異なる実施形態を構成することができることは明白なので、この発明は、特定の実施形態に制約されるものではない。
【図面の簡単な説明】
【００４２】
【図１】本実施形態の光コンセントを用いた配線装置を前方から見た分解斜視図である。
【図２】同上を用いた配線装置を後方から見た分解斜視図である。
【図３】同上を用いた配線装置を示し、（ａ）は正面図、（ｂ）は左側面図、（ｃ）は下面図である。
【図４】同上を用いた配線装置の背面図である。
【図５】同上を用いた配線装置を示し、図３（ａ）のＡ−Ａ断面図である。
【図６】同上を用いた配線装置を示し、（ａ）は後方から見た外観斜視図、（ｂ）は前方から見た外観斜視図である。
【図７】同上を用いた配線装置の上面図である。
【図８】従来の光コンセントを示し、（ａ）は正面図、（ｂ）はＢ−Ｂ断面図、（ｃ）は背面図、（ｄ）は上面図である。
【図９】同上の光コンセントを示し、（ａ）は後方から見た外観斜視図、（ｂ）は前方から見た外観斜視図である。
【符号の説明】
【００４３】
１  配線装置
２  光コンセント
３  モジュラコンセント
４  取付枠
１０  コンセント本体
１１  光接続具
１２  裏カバー
１３  巻取部材
１４  防塵カバー
１５ａ  第１のプラグ接続口
１５ｂ  第２のプラグ接続口
２４  側壁部（巻胴部）
２５  ガイド壁
２５ａ  ケーブル押さえ片（ケーブル押さえ部）
２６  ケーブル保持片（ケーブル保持部）
【図１】
2008107572.tif 000003
【図２】
2008107572.tif 000004
【図３】
2008107572.tif 000005
【図４】
2008107572.tif 000006
【図５】
2008107572.tif 000007
【図６】
2008107572.tif 000008
【図７】
2008107572.tif 000009
【図８】
2008107572.tif 000010
【図９】
2008107572.tif 000011